(57)【要約】【課題】  サンバイザ本体に乗員による外力が作用した際の、衝撃吸収に有効な車両用サンバイザを提供する。【解決手段】  車両用サンバイザ１０１は、機能部材１０５，１０９が取付けられるサンバイザ本体１０３を有する。サンバイザ本体１０３は、第１及び第２の主要面を有する。そして、第２の主要面から複数の突部１２３，１２５が立設され、各突部１２３，１２５の頂部及び当該頂部同士間の空間１２７が第１の主要面の少なくとも一部を形成する。【選択図】  図４
2013256180.tif 000002
【特許請求の範囲】
【請求項１】
機能部材が取付けられるサンバイザ本体を有し、
前記サンバイザ本体は、車室内の壁面に沿うように置かれる収納位置と、当該収納位置以外の使用領域との間で移動可能とされる構成であり、
前記サンバイザ本体は、第１及び第２の主要面を有し、
前記第１の主要面から複数の突部が立設され、前記各突部の頂部及び当該頂部同士間の空間が前記第２の主要面の少なくとも一部を形成することを特徴とする車両用サンバイザ。
【請求項２】
請求項１に記載の車両用サンバイザであって、
前記第１の主要面は、前記サンバイザ本体が前記収納位置に置かれたときに車室の壁面に対向する面であり、
前記第２の主要面は、前記サンバイザ本体が前記収納位置に置かれたときに車室に向かう面であり、
前記サンバイザ本体における前記第２の主要面側に配置される板状部材を有し、
前記複数の突部は、前記サンバイザ本体の周縁部に沿って互いに並行して延在状に形成されており、前記複数の突部のうち、内周側に位置する突部の頂部によって囲まれる領域に前記板状部材が配置されるとともに、当該板状部材を含んで前記第２の主要面が形成される構成であることを特徴とする車両用サンバイザ。
【請求項３】
請求項１に記載の車両用サンバイザであって、
前記第１の主要面は、前記サンバイザ本体が前記収納位置に置かれたときに車室に向かう面であり、
前記第２の主要面は、前記サンバイザ本体が前記収納位置に置かれたときに車室の壁面に向かう面であり、
前記サンバイザ本体における前記第１の主要面側に配置される板状部材を有し、
前記複数の突部は、前記サンバイザ本体の周縁部に沿って互いに並行して延在状に形成されており、前記複数の突部のうち、内周側に位置する突部の基部によって囲まれる領域に前記板状部材が配置される構成であることを特徴とする車両用サンバイザ。
【請求項４】
請求項２又は３に記載の車両用サンバイザであって、
前記内周側の突部の内側と、前記板状部材の面方向と交差する端面とのいずれか一方には、前記突部の立設方向と交差する方向に突出する突起が形成され、他方には前記突起と係合可能な係合部が形成され、前記突起と前記係合部が弾発的に係合することで前記板状部材が前記サンバイザ本体に固定される構成であることを特徴とする車両用サンバイザ。
【請求項５】
請求項１〜４のいずれかに記載の車両用サンバイザであって、
前記複数の突部の頂部が、Ｒ３．２以上の丸面形状に形成されていることを特徴とする車両用サンバイザ。
【請求項６】
請求項１〜５のいずれかに記載の車両用サンバイザであって、
前記サンバイザ本体を前記車室の壁面に取付けるための軸部材を更に有し、
前記サンバイザ本体は、前記軸部材が取付けられる取付領域と、当該取付領域を覆うべく前記サンバイザ本体にインテグラルヒンジを介して回動自在に連接されたカバー部材とを有することを特徴とする車両用サンバイザ。
【発明の詳細な説明】
【技術分野】
【０００１】
本発明は、車両用サンバイザに関する。
【背景技術】
【０００２】
特開２００３−２６０７３９号公報（特許文献１）は、樹脂製の二つのシェル構成部材を互いに接合することによりサンバイザ本体を構成する車両用サンバイザを示している。
上記のように構成された車両用サンバイザにおいては、乗員による外力が衝撃的に加えられた場合の衝撃の吸収に関してなお改良の余地がある。
【先行技術文献】
【特許文献】
【０００３】
【特許文献１】特開２００３−２６０７３９号公報
【発明の概要】
【発明が解決しようとする課題】
【０００４】
本発明は、上記の問題に鑑み、サンバイザ本体に乗員による外力が作用した際の、衝撃吸収に有効な車両用サンバイザを提供することをその目的とする。
【課題を解決するための手段】
【０００５】
上記課題を達成するため、本発明に係る車両用サンバイザの好ましい形態によれば、機能部材が取付けられるサンバイザ本体を有し、サンバイザ本体は、車室内の壁面に沿うように置かれる収納位置と、当該収納位置以外の使用領域との間で移動可能とされる構成である。サンバイザ本体は、第１及び第２の主要面を有する。そして、第１の主要面から複数の突部が立設され、各突部の頂部及び当該頂部同士の空間が第２の主要面の少なくとも一部を形成する構成とされる。本発明における「主要面の少なくとも一部」とは、サンバイザ本体の周縁部分、すなわち「ふち」がこれに相当する。また、本発明における「機能部材」とは、サンバイザ本体を車両側に取付けるための支軸あるいはバネクリップあるいは化粧用のバニティミラー等がこれに相当する。
【０００６】
本発明においては、第１の主要面から複数の突部が立設されており、当該立設された各突部の頂部及び当該頂部同士間の空間が第２の主要面の少なくとも一部を形成する構成とされる。従って、各突部の頂部同士の空間が突部の変形を許容する。このため、突部の頂部及び当該頂部同士間の空間が形成する第２の主要面は、乗員の、例えば頭部が衝突した場合の衝撃で突部が変形し、これにより乗員に作用する衝撃を吸収することができる。
【０００７】
本発明に係る車両用サンバイザの更なる形態によれば、第１の主要面は、サンバイザ本体が収納位置に置かれたときに車室の壁面に対向する面であり、第２の主要面は、サンバイザ本体が収納位置に置かれたときに車室に向かう面である。そして、サンバイザ本体における第２の主要面側に配置される板状部材を有している。複数の突部は、サンバイザ本体の周縁部に沿って互いに並行して延在状に形成されており、複数の突部のうち、内周側に位置する突部の頂部によって囲まれる領域に板状部材が配置されるとともに、当該板状部材を含んで第２の主要面が形成される構成である。本発明における「板状部材」は、段ボールないし樹脂パネルによって構成することが好ましい。
【０００８】
この形態では、複数の突部がサンバイザ本体の周縁部に形成されており、サンバイザ本体が収納位置に置かれた状態では、突部が車室に向かって立設されている。このため、乗員の頭部がサンバイザ本体の周縁部に衝突した際に突部が変形し易く、乗員の頭部に作用する衝撃を緩和できる。また、この形態によれば、サンバイザ本体に板状部材を配置して第２の主要面を形成する構成であり、機能部材が取付けられるサンバイザ本体については、機能部材が集約された一つのコア体部材として構成することができる。このため、樹脂製の二つのシェル構成部材を互いに接合することによりサンバイザ本体を構成する従来品の場合であれば、二つの成形金型が必要になるが、この形態によれば、サンバイザ本体を樹脂成型品とする場合において、成形金型が一つで済み、製造コストの低減が可能となる。板状部材が段ボールによって構成される場合であれば、製造コストの更なる低減が可能となる。
【０００９】
本発明に係る車両用サンバイザの更なる形態によれば、第１の主要面は、サンバイザ本体が収納位置に置かれたときに車室に向かう面であり、第２の主要面は、サンバイザ本体が収納位置に置かれたときに車室の壁面に向かう面である。そして、サンバイザ本体における第１の主要面側に配置される板状部材を有する。複数の突部は、サンバイザ本体の周縁部に沿って互いに並行して延在状に形成されており、複数の突部のうち、内周側に位置する突部の基部によって囲まれる領域に板状部材が配置される構成である。
【００１０】
この形態では、複数の突部がサンバイザ本体の周縁部に形成されており、サンバイザ本体が収納位置に置かれた状態では、突部は車室の壁面に向かって立設されている。このため、乗員の頭部がサンバイザ本体の周縁部に衝突した場合、突部が車室の壁面に押付けられることで変形し、乗員の頭部に作用する衝撃を緩和できる。また、この形態によれば、サンバイザ本体に板状部材を配置して第１の主要面を形成する構成であり、機能部材が取付けられるサンバイザ本体については、機能部材が集約された一つのコア体部材として構成することができる。このため、樹脂製の二つのシェル構成部材を互いに接合することによりサンバイザ本体を構成する従来品の場合であれば、二つの成形金型が必要になるが、この形態によれば、サンバイザ本体を樹脂成型品とする場合において、成形金型が一つで済み、製造コストの低減が可能となる。板状部材が段ボールによって構成される場合であれば、製造コストの更なる低減が可能となる。
【００１１】
本発明に係る車両用サンバイザの更なる形態によれば、内周側の突部の内側と、板状部材の面方向と交差する端面とのいずれか一方には、突部の立設方向と交差する方向に突出する突起が形成され、他方には突起と係合可能な係合部が形成されている。そして突起と係合部が弾発的に係合することで板状部材がサンバイザ本体に固定される構成である。本発明における「弾発的に係合」とは、係合時に弾性変形を伴う態様であり、突起が弾性変形する態様、係合部を形成する部材が弾性変形する態様のいずれか一方又は双方の態様を好適に包含する。
【００１２】
この形態によれば、板状部材は、サンバイザ本体に形成される内周側の突部によって囲まれる空間領域に配置されるが、当該配置する際に係合部と突起が弾発的に係合し、これによりサンバイザ本体に固定されることになる。このため、サンバイザ本体に対して板状部材を容易に組付けることができる。
【００１３】
本発明に係る車両用サンバイザの更なる形態によれば、複数の突部の頂部が、Ｒ３．２以上の丸面形状に形成されている。
この形態によれば、突部の頂部に丸みを持たせることで乗員が接触したときの乗員保護に有効となる。
【００１４】
本発明に係る車両用サンバイザの更なる形態によれば、サンバイザ本体を車室の壁面に取付けるための軸部材を更に有し、サンバイザ本体は、軸部材が取付けられる取付領域と、当該取付領域を覆うべくサンバイザ本体にインテグラルヒンジを介して回動自在に連接されたカバー部材とを有する。
この形態によれば、カバー部材がサンバイザ本体に一体に形成されているため、サンバイザ本体と別々に形成する場合に比べて製造コストの低減を図ることができる。
【発明の効果】
【００１５】
本発明によれば、サンバイザ本体に乗員による外力が作用した際の、衝撃吸収に有効な車両用サンバイザが提供されることとなった。
【図面の簡単な説明】
【００１６】
【図１】本発明の実施形態に係る車両用サンバイザの構成を示す分解斜視図である。
【図２】サンバイザ本体を示す平面図である。
【図３】図２のＡ−Ａ線断面図である。
【図４】サンバイザ本体に板状部材が固定されるとともに、サンバイザ本体及び板状部材が表皮で包まれた状態を示す断面図である。
【図５】図４のＣ部の拡大図である。
【図６】図２のＢ−Ｂ線断面図である。
【図７】サンバイザ本体の周縁部に形成されるスリット構造部の設定に関する変形例を示す断面図である。
【図８】スリット構造部の設定に関する他の変形例を示す断面図である。
【図９】スリット構造部の設定に関する更なる他の変形例を示す断面図である。
【図１０】スリット構造部の設定に関する更なる他の変形例を示す断面図である。
【図１１】スリット構造部の設定に関する更なる他の変形例を示す断面図である。
【図１２】スリット構造部の設定に関する更なる他の変形例を示す断面図である。
【図１３】スリット構造部の設定に関する更なる他の変形例を示す断面図である。
【図１４】板状部材に関する変形例を示す平面図である。
【図１５】図１４のＤ−Ｄ線断面図である。
【図１６】図１４のＥ−Ｅ線断面図である。
【発明を実施するための最良の形態】
【００１７】
以下、本発明の実施形態に係る自動車用サンバイザにつき、図１〜図６を参照しつつ説明する。本実施の形態に係る車両用サンバイザ１０１は、図１に示すように、概括的に見てサンバイザ１０１の外形を構成する略長方形状のサンバイザ本体１０３を主体として構成されるともに、サンバイザ本体１０３を車両に装着するための取付ブラケット１０７と、サンバイザ本体１０３の裏面を覆う平板状の板状部材１３１とを有する。このサンバイザ本体１０３が、本発明における「サンバイザ本体」に対応し、平板状の板状部材１３１が本発明における「板状部材」に対応する。なお、板状部材１３１は、樹脂パネルあるいは段ボールを所定形状に打ち抜いたもので形成される。
【００１８】
取付ブラケット１０７は、支軸１０５を有し、この支軸１０５を介してサンバイザ本体１０３が車両に取付けられる。この支軸１０５が、本発明における「軸部材」に対応する。支軸１０５は、概ね鉛直方向に延びる縦軸部と、概ね水平方向に延びる横軸部とを備えた略Ｌ字状に形成されている。支軸１０５の横軸部がサンバイザ本体１０３における周縁部のうちの一方の長辺部の一端部側に形成された軸受部１１１に装着され、これによりサンバイザ本体１０３が横軸部の軸回りに相対的に回動自在とされる。一方、支軸１０５の縦軸部が取付ブラケット１０７に相対回動自在に取付けられる。そして、取付ブラケット１０７が車室天井面１１０（図４参照）の前側隅部に装着される。この軸受部１１１が、本発明における「取付領域」に対応する。
【００１９】
上記のように、車室天井面１１０に装着されたサンバイザ本体１０３は、横軸部の軸回りに回動操作することで、車室の天井面に沿うように置かれる収納位置（図４に２点鎖線で示す位置）と、当該収納位置以外の図４に例示する実線で示す使用領域（遮光位置）との間で位置を変えることができる。またサンバイザ本体１０３は、縦軸部の軸回りに回動操作することで、乗員の前方に置かれるフロント位置と乗員の側方に置かれるサイド位置との間で位置を変えることができる。
【００２０】
またサンバイザ本体１０３は、一方の長辺部の他端側には、サポート軸取付部１１３が設けられ、このサポート軸取付部１１３にサポート軸１０９が取付けられる。サポート軸１０９は、車室の天井面に装着されるフック（便宜上図示を省略する）によって保持される。これによってサンバイザ１０１が収納位置から遮光位置へあるいは遮光位置から収納位置へと配置位置が変更されるときの、サンバイザ本体１０３の回動動作の安定化が図られている。なお、本実施の形態では、説明の便宜上、横軸部の長軸方向を「左右方向」と規定し、縦軸部の長軸方向を「上下方向」と規定し、縦軸部の長軸方向と交差する水平方向を「前後方向」と規定する。
【００２１】
図１及び図２に示すように、サンバイザ本体１０３は、平板状の表板１０３Ａを主体として構成され、この表板１０３Ａに、支軸１０５、バネクリップ１１２（図1参照）、サポート軸１０９及び化粧用のバニティミラー（便宜上、図示を省略する）等の機能部材の全てを取付けるための受け形状が形成されたコア体部材であり、インジェクション樹脂成形品として形成される。バネクリップ１１２は、支軸１０５回りに回動されるサンバイザ本体１０３の回動動作に対して所定の回動抵抗を付与し、サンバイザ本体１０３を移動された位置に保持する部材である。上記の支軸１０５、バネクリップ１１２、バニティミラーが本発明における「機能部材」に対応する。なお、支軸１０５及びバネクリップ１１２の取付けるための軸受部１１１及びサポート軸１０９を取付けるためのサポート軸受部１１３は、周縁部のうち上縁部裏面側に形成され、バニティミラー取付部１１５は、表板１０３Ａの概ね中央領域に裏面側に向けて凹む凹部として形成されている。
【００２２】
サンバイザ本体１０３における表板１０３Ａの周縁部の裏面側には、面方向と交差する方向のスリットを有するスリット構造部１０３Ｂが形成されている。表板１０３Ａの表面側（図１の下面側）が、サンバイザ本体１０３が収納位置に置かれたときに車室天井面１１０と対向する面であり、サンバイザ本体１０３の表面として規定される。スリット構造部１０３Ｂが形成される表板１０３Ａの裏面側が、サンバイザ本体１０３が収納位置に置かれたときに室内に向かう面であり、サンバイザ本体１０３の裏面として規定される。サンバイザ本体１０３の表面が、本発明における「第１の主要面」に対応し、サンバイザ本体１０３の裏面が、本発明における「第２の主要面」に対応する。また、車室天井面１１０が、本発明における「車室の壁面」に対応する。
【００２３】
スリット構造１０３Ｂは、図３及び図４に示すように、内側リブ１２３と外側リブ１２５、及び両リブ１２３，１２５間に形成される所定幅のスリット１２７を主体として構成されている。この内側リブ１２３及び外側リブ１２５が、本発明における「複数の突部」に対応し、スリット１２７が、本発明における「頂部同士間の空間」に対応する。内側リブ１２３及び外側リブ１２５は、サンバイザ本体１０３の表板１０３Ａの表側から裏面に向かって立設されている。すなわち、サンバイザ本体１０３における表板１０３Ａの裏面側において面方向と交差する方向に直立状に形成される。また、内側リブ１２３及び外側リブ１２５は、サンバイザ本体１０３の概ね全周にわたり周縁部に沿って互いに概ね並行するように延在されるが、支軸１０５が取付けられる部分、すなわち軸受部１１１で分断されている。
【００２４】
また、本実施の形態では、外側リブ１２５の内側に形成される内側リブ１２３については、周縁部の肉厚な部分を無くするべく、面方向と交差する方向のスリット１２７ａを有する構成とされる。換言すれば、内側リブ１２３は、図３及び図４に示すように、複数備えられる。具体的には、周縁部のうち、一方の長辺部と両方の短辺部の領域では３本、他方の長辺部の領域では２本形成されている。そして、これら複数の内側リブ１２３は、裏面側端部において互いに連接される。また、外側リブ１２５と内側リブ１２３との間に形成されたスリット１２７の幅が、内側リブ１２３に形成されたスリット１２７ａの幅よりも小さく設定されている。
【００２５】
このように、サンバイザ本体１０３の周縁部にスリット構造部１０３Ｂを設定したことにより、サンバイザ本体１０３の周縁部は、面方向及び面方向成分を含む外力を受けたときに撓み易い、すなわち弾性変形し易い形状とされる。
【００２６】
外側リブ１２５と内側リブ１２３との間のスリット１２７は、サンバイザ本体１０３の裏面側に開口し、内側リブ１２３に形成されるスリット１２７ａは、サンバイザ本体１０３の表面側に開口する。すなわち、内側リブ１２３は、裏面側において互いに連接する構成であり、この連接部分１２３ａは、内側から外側に向かって緩やかに下る曲面状に形成され、その延長線上に外側リブ１２５の頂部が位置するように外側リブの立設高さが設定されている。換言すれば、外側リブ１２５は、内側リブ１２３よりも立設高さが低く設定されている。また、スリット１２７，１２７ａの深さは、内側に位置するものほど深くなっている。
【００２７】
また、外側リブ１２５の頂部（裏面側端部）及び内側リブ１２３の頂部（連接部分１２３ａの連接方向端部）は、丸みを持つ丸面形状に形成されている。すなわち、図３に示すように、Ｒ３．２以上の丸面取りが施されて丸面形状に形成されており、これにより乗員の頭部等が接触したときの乗員保護が図られている。
【００２８】
板状部材１３１は、最内側に位置する内側リブ１２３によって囲まれるサンバイザ本体１０３の裏面側空間領域を覆う部材としてサンバイザ本体１０３の裏面側に配置される。板状部材１３１は、最内側の内側リブ１２３の頂部によって囲まれる領域（平面形状）に対応する外形形状を有する平板状に形成されており、サンバイザ本体１０３の面方向と交差する方向から最内側の内側リブ１２３の内周面に嵌め込むことによってサンバイザ本体１０３に取付けられる。この最内側の内側リブ１２３が、本発明における「内周側の突部」に対応する。
【００２９】
また、最内側の内側リブ１２３の頂部（立設端部）の内周面には、内向きに突出する爪１２３ｂが複数周方向に所定間隔で一体形成されている。これに対応して板状部材１３１の外周端面には、爪１２３ｂと係合するための係合部が設定される。
【００３０】
板状部材１３１が、例えば樹脂パネルで構成される場合であれば、図５に示すように、係合部は、爪１２３ｂに対応した形状の凹部１３１ａとして設定され、板状部材１３１を最内側の内側リブ１２３で囲まれる空間領域に嵌め込む際、爪１２３ｂと、凹部１３１ａを形成する板状部材１３１の端部とのいずれか一方又は双方の弾性変形を介して爪１２３ｂと係合部１３１ａが係合することで板状部材１３１を最内側の内側リブ１２３に固定する。
【００３１】
また、板状部材１３１が段ボールで構成される場合（図１２参照）であれば、２枚の平らなシートで挟まれる波板状シートの端部が係合部として利用され、爪１２３ｂは、板状部材１３１を最内側の内側リブ１２３で囲まれる空間領域に嵌め込む際、波板状シートの端部に食いつくように係合することで板状部材１３１を最内側の内側リブ１２３に固定する。上記の爪１２３ｂが、本発明における「突起」に対応し、凹部及び波板状シートの端部が、本発明における「係合部」に対応する。
【００３２】
爪１２３ｂは、最内側の内側リブ１２３の頂部近くに設定されている。これにより板状部材１３１がサンバイザ本体１０３に取付けられたとき、当該板状部材１３１の外面が最内側の内側リブ１２３の頂部と面一となるよう構成される。かくして、サンバイザ本体１０３の周縁部に形成されるスリット構造部１０３Ｂの頂部、すなわち内側リブ１２３及び外側リブ１２５の頂部とそれら頂部同士間のスリット１２７とによって構成される面と、当該スリット構造部１０３Ｂの内側に配置される板状部材１３１の外面とによってサンバイザ本体１０３の裏面が構成される。表板１０３Ａの表面及びスリット構造部１０３Ｂの基部側外面によってサンバイザ本体１０３の表面が構成される。
【００３３】
また、サンバイザ本体１０３の表板１０３Ａの裏面のうち、スリット構造部１０３Ｂより内側には、当該表板１０３Ａを補強するための補強リブ１２９が立設され、この補強リブ１２９によって板状部材１３１を板厚方向に支持している。この補強リブ１２９の頂部も図３に示すように、Ｒ３．２以上の丸面取りが施されて丸面形状に形成されている。
【００３４】
また、図６に示すように、表板１０３Ａの裏面側には、支軸１０５の軸受部１１１及びバネクリップ１１２を覆うカバー１３３がインテグラルヒンジ１３５を介して一体に形成されている。このカバー１３３は、内側リブ１２３の頂部においてインテグラルヒンジ１３５を介して回動自在に連接され、軸受部１１１を覆った状態では、その外面が外側に向かって緩やかに下る曲面状に形成されている。すなわち、スリット構造部１０３Ｂの頂面形状と概ね同形状に形成されている。なお、便宜上、図示を省略するが、サンバイザ本体１０３は、板状部材１３１、バネクリップ１１２が組付けられた状態で、その全体を表皮１０４（図４参照）によって包まれ、その後、支軸１０５、サポート軸１０９が組付けられる。上記のように、サンバイザ本体１０３にカバー１３３を一体に形成することにより、サンバイザ本体１０３と別々に形成する場合に比べて製造コストの低減を図ることができる。
【００３５】
本実施の形態に係る車両用サンバイザ１０１は、上記のように構成される。従って、サンバイザ本体１０３を支軸１０５の横軸線回りに回動操作することにより、収納位置から使用領域へと移動させて使用することができる。また、サンバイザ本体１０３を支軸１０５の縦軸線回りに回動操作することにより、フロントガラス側からサイドガラス側へと移動させた状態で使用することができる。
【００３６】
さて、本実施の形態では、サンバイザ本体１０３につき、支軸１０５、バネクリップ１１２、サポート軸１０９、バニティミラー等の機能部材が集約された一つのコア体部材として構成している。このため、サンバイザ本体１０３を樹脂成型品とする場合において、成形金型が一つで済むことになり、製造コストの低減が可能となる。また、板状部材１３１を平板で形成できるので、安価に製造できるとともに、板状部材１３１が段ボールによって構成される場合であれば、製造コストの更なる低減が可能となる。
【００３７】
また、本実施の形態においては、サンバイザ本体１０３の周縁部につき、面方向と交差する方向のスリット１２７，１２７ａを有するスリット構造部１０３Ｂによって構成し、サンバイザ本体１０３に作用する面方向または面方向成分を含む方向の外力によって変形し易い（撓み易い）構成としている。これにより、例えばサンバイザ本体１０３が収納位置に置かれた状態において、乗員の頭部がサンバイザ本体１０３の周縁部に突き当たった場合に、スリット構造部１０３Ｂにおける外側リブ１２５及び内側リブ１２３の変形によって突き当たった時の衝撃を吸収することができる。
【００３８】
また、本実施の形態では、最内側の内側リブ１２３に面方向に突出する爪１２３ｂを設け、板状部材１３１を面方向と交差する方向に移動させて最内側の内側リブ１２３に嵌め込んだ際に、爪１２３ｂが板状部材１３１の係合部１３１ａに係合することで板状部材１３１が固定する構成としている。このため、一方向での組付けが可能となり、組付け工程を簡略できる。また意匠面（外面）に突起物が出ないため、商品性を向上できる。
【００３９】
なお、上記の実施の形態では、内側リブ１２３に爪１２３ｂを設ける一方、板状部材１３１が樹脂パネルで形成される場合において当該板状部材１３１に係合部としての凹部１３１ａを設けたが、板状部材１３１に爪を設け、内側リブ１２３に凹部を設ける構成に変更することも可能である。
【００４０】
また、衝撃吸収のためにサンバイザ本体１０３の周縁部に形成されるスリット構造部１０３Ｂについては、種々変更することが可能である。以下、スリット構造部１０３Ｂに関する変形例につき、図７〜図１２を参照しつつ説明する。
【００４１】
図７に示す変形例では、外側リブ１２５と、外側リブ１２５の内側に形成された一つの内側リブ１２３と、両リブ１２３，１２５間に形成され、裏面側が開口されたスリット１２７とによってスリット構造部１０３Ｂが構成されている。そして、内側リブ１２３の頂部、すなわち裏面側端部には内向きに張り出す張出部１２３ｃが内周に沿って形成され、この張出部１２３ｃによって囲まれる空間に板状部材１３１を配置するように構成している。なお、板状部材１３１は、内側リブ１２３の内側に形成される補強リブ１２９によって支持される。かくして、内側リブ１２３及び外側リブ１２５の頂部とそれら頂部同士間のスリット１２７とによって構成される面と、板状部材１３１の外面とによってサンバイザ本体１０３の裏面が構成されている。
【００４２】
図８に示す変形例では、外側リブ１２５と、外側リブ１２５の内側に形成された二つの内側リブ１２３と、内外のリブ１２３，１２５間に形成され、裏面側が開口されたスリット１２７と、二つの内側リブ１２３間に形成されたスリット１２７ａとによってスリット構造部１０３Ｂが構成されている。二つの内側リブ１２３は、サンバイザ本体１０３の裏面側において内側から外側に向かって下る曲面状の連接部分１２３ａで連接され、二つの内側リブ間のスリット１２７ａがサンバイザ本体１０３の表面側に開口されている。かくして、内側リブ１２３及び外側リブ１２５の頂部とそれら頂部同士間のスリット１２７とによって構成される面と、板状部材１３１の外面とによってサンバイザ本体１０３の裏面が構成されている。
【００４３】
図９に示す変形例では、外側リブ１２５と、外側リブ１２５の内側に形成された二つの内側リブ１２３と、内外のリブ１２３，１２５間に形成され、裏面側が開口されたスリット１２７と、二つの内側リブ１２３間に形成されたスリット１２７ａとによってスリット構造部１０３Ｂが構成されている。この例では、二つの内側リブ１２３は、サンバイザ本体１０３の表面側において表板１０３Ａによって連接され、二つの内側リブ間のスリット１２７ａがサンバイザ本体１０３の裏面側に開口されている。そして、最内側の内側リブ１２３の内面頂部に板状部材１３１を板厚方向に支持する切欠き状の受部１３７を設定している。かくして、内側リブ１２３及び外側リブ１２５の頂部とそれら頂部同士間のスリット１２７及び内側リブ１２３同士間のスリット１２７ａとによって構成される面と、板状部材１３１の外面とによってサンバイザ本体１０３の裏面が構成されている。
【００４４】
図１０に示す変形例では、外側リブ１２５が表板１０３Ａの周縁端部を裏面内側に向かって折り返して略Ｕ字状の湾曲部として構成され、この外側リブ１２５と、外側リブ１２５の内側に形成される内側リブ１２３と、両リブ１２３，１２５間に形成されたスリット１２７とによりスリット構造部１０３Ｂを構成している。かくして、内側リブ１２３及び外側リブ１２５の頂部とそれら頂部同士間のスリット１２７とによって構成される面と、板状部材１３１の外面とによってサンバイザ本体１０３の裏面が構成されている。
【００４５】
図１１に示す変形例は、図８に示す変形例と同様にスリット構造部１０３Ｂを構成した上で、それに追加する態様で最内側の内側リブ１２３の内面頂部に板状部材１３１を板厚方向に支持する切欠き状の受部１３７を設定している。かくして、内側リブ１２３及び外側リブ１２５の頂部とそれら頂部同士間のスリット１２７とによって構成される面と、板状部材１３１の外面とによってサンバイザ本体１０３の裏面が構成されている。
【００４６】
図１２に示す変形例は、図９に示したスリット構造部１０３Ｂのうち、最内側の内側リブ１２３の内面頂部に板状部材１３１を支持する受部１３７を省略した構成であり、板状部材１３１が段ボールによって構成される場合を示している。かくして、内側リブ１２３及び外側リブ１２５の頂部とそれら頂部同士間のスリット１２７及び内側リブ１２３同士間のスリット１２７ａとによって構成される面と、板状部材１３１の外面とによってサンバイザ本体１０３の裏面が構成されている。
【００４７】
以上のように、サンバイザ本体１０３の周縁部に形成されるスリット構造部１０３Ｂについては、種々の変形が可能であり、いずれの変形例においても、前述した実施態様と概ね同様の作用効果を得ることができる。
【００４８】
次に図１３に示す変形例につき説明する。上述した実施の形態及び各変形例では、内側リブ１２３、外側リブ１２５がサンバイザ本体１０３の表面側から裏面側に立設され、そして板状部材１３１がサンバイザ本体１０３の裏面側に配置される構成としたが、この変形例では、内側リブ１２３、外側リブ１２５がサンバイザ本体１０３の裏面側から表面側に立設され、そして板状部材１３１がサンバイザ本体１０３の裏面側に配置される構成としたものである。つまり、この変形例は、リブの立設方向につき、上述した実施の形態及び各変形例とは逆向きに設定している。
【００４９】
この変形例では、サンバイザ本体１０３が収納位置に置かれた場合において、サンバイザ本体１０３の表板１０３Ａの表面側（図１３の下側）が車室天井面１１０と対向し、この面がサンバイザ本体１０３の表面として規定される。従って、サンバイザ本体１０３の表板１０３Ａの裏面側（図１３の上側）が車室に向かう面であり、この面がサンバイザ本体１０３の裏面として規定される。この変形例では、サンバイザ本体１０３の周縁部において、複数の内側リブ１２３及び外側リブ１２５が、表板１０３Ａの裏面側から表面側に向かって立設することでスリット構造部１０３Ｂが構成されている。従って、この変形例では、表板１０３Ａの表面、つまりサンバイザ本体１０３の表面が、本発明における「第２の主要面」に対応し、表板１０３Ａの裏面、つまりサンバイザ本体１０３の裏面が、本発明における「第１の主要面」に対応する。
【００５０】
換言すれば、この変形例では、サンバイザ本体１０３の周縁部につき、表板１０３Ａの表側から裏面側に向かって突出する側壁と、この側壁の突出端部から表板１０３Ａの面方向外側へと張り出す張出部分と、この張出部分から表板１０３Ａの表面側に向かって立設する複数の内側と外側のリブ１２３，１２５と、それらリブ１２３，１２５間に形成されるスリット１２７，１２７ａとを有する構成であり、これらによってスリット構造部１０３Ｂが形成されている。なお、この変形例における側壁は、最内側の内側リブ１２３を構成する。
【００５１】
この変形例では、板状部材１３１は、第１の主要面であるサンバイザ本体１０３の裏面側に配置されている。板状部材１３１は、サンバイザ本体１０３の裏面において、最内側の内側リブ１２３（側壁）によって囲まれる空間領域に配置される。板状部材１３１は、段ボールによって形成され、当該空間領域に嵌め込まれる際、最内側の内側リブ１２３の基部（裏面側）に設けた爪１２３ｂが段ボールの波板状シートの端部に食いつくように係合することで最内側の内側リブ１２３に固定される。かくして、サンバイザ本体１０３の周縁部に形成されるスリット構造部１０３Ｂの頂部、すなわち内側リブ１２３及び外側リブ１２５の頂部とそれら頂部同士間のスリット１２７，１２７ａとによって構成される面と、表板１０３Ａの表面とによってサンバイザ本体１０３の表面が構成され、スリット構造部１０３Ｂの基部側外面と、当該スリット構造部１０３Ｂの内側に配置される板状部材１３１の外面とによってサンバイザ本体１０３の裏面が構成される。爪１２３ｂが、本発明における「突起」に対応し、波板状シートの端部が、本発明における「係合部」に対応する。
【００５２】
この変形例によれば、サンバイザ本体１０３の周縁部につき、面方向と交差する方向のスリット１２７，１２７ａを有するスリット構造部１０３Ｂによって構成し、サンバイザ本体１０３に作用する面方向または面方向成分を含む方向の外力によって変形し易い（撓み易い）構成としている。従って、例えばサンバイザ本体１０３が収納位置に置かれた状態において、乗員の頭部がサンバイザ本体１０３の周縁部に突き当たった場合に、スリット構造部１０３Ｂにおける外側リブ１２５及び内側リブ１２３が室内天井面に押付けられることで変形し、頭部に作用する衝撃を緩和できる。また、この変形例によれば、サンバイザ本体１０３につき、支軸１０５、バネクリップ１１２、サポート軸１０９、バニティミラー等の機能部材が集約された一つのコア体部材として構成することが可能である、従って、これに伴う作用効果については、前述した実施の形態の場合と同様である。
【００５３】
次に板状部材に関する変形例につき、図１４〜図１６を参照しつつ説明する。この変形例では、サンバイザ本体１０３の表面と裏面との両方に板状部材１３１Ａ、１３１Ｂを配置する構成としている。このような板状部材１３１Ａ、１３１Ｂの両面配置を可能とするために、サンバイザ本体１０３の表板１０３Ａは、周縁部の内側の中央領域において、表面側と裏面側との双方に断面略台形状の凹凸が長辺方向に交互に形成された構成とされる。そして、表側に配置される板状部材１３１Ａは、表板１０３Ａの表側の凸部１３９ａに嵌合する孔を有する形状に形成され、裏側に配置される板状部材１３１Ｂは、表板１０３Ａの裏側の凸部１３９ｂに嵌合する孔を有する形状に形成される。なお、凸部１３９ａ，１３９ｂは、短辺方向に長い形状に形成される。
【００５４】
従って、この変形例では、サンバイザ本体１０３の表面は、一方の板状部材１３１Ａの外面及び凸部１３９ａの頂面を含む表板１０３Ａの表面によって構成され、サンバイザ本体１０３の裏面は、他方の板状部材１３１Ｂの外面、凸部１３９ｂの頂面及びスリット構造部１０３Ｂの裏面によって構成される。なお、便宜上、図示は省略するが、サンバイザ本体１０３の周縁部に形成されるスリット構造部１０３Ｂについては、前述した実施形態のスリット構造、あるいは変形例のスリット構造のいずれかによって構成することが可能である。
【００５５】
なお、本発明の趣旨に鑑み、以下の態様を構成することができる。
（態様１）
「請求項１に記載の車両用サンバイザであって、
前記複数の突部は、前記サンバイザ本体の周縁部に沿って互いに並行して延在状に形成されており、
前記複数の突部と、当該複数の突部間に形成される空間とによってスリット構造部が形成されていることを特徴とする車両用サンバイザ。」
【００５６】
（態様２）
「態様１に記載の車両用サンバイザであって、
前記スリット構造部は、前記サンバイザ本体の周縁部分に周方向に延在状に形成されていることを特徴とする車両用サンバイザ。」
【００５７】
（実施の形態の各構成要素と本発明の構成要素との対応関係）
本実施の形態における各構成要素と、本発明における構成要素との発明特定事項との関係は、以下のとおりである。もちろん、本実施の形態における各構成要素は、対応する本発明の特定事項に関する一つの実施構成例に過ぎず、本発明の各構成要素はこれに限定されるものではない。
支軸１０５、バネクリップ１１２、サポート軸１０９、バニティミラーは、本発明の「機能部材」に対応する構成の一例である。
実施の形態及び図７〜図１２に示す各変形例におけるサンバイザ本体１０３の表面は、本発明の「第１の主要面」に対応する構成の一例である。
実施の形態及び図７〜図１２に示す各変形例におけるサンバイザ本体１０３の裏面は、本発明の「第２の主要面」に対応する構成の一例である。
図１３に示す変形例におけるサンバイザ本体１０３の表面は、本発明の「第２の主要面」に対応する構成の一例である。
図１３に示す変形例におけるサンバイザ本体１０３の裏面は、本発明の「第１の主要面」に対応する構成の一例である。
車室天井面１１０は、本発明の「車室の壁面」に対応する構成の一例である。
内側リブ１２３及び外側リブ１２５は、本発明の「複数の突部」に対応する構成の一例である。
樹脂パネルや段ボール等の板状部材１３１は、本発明の「板状部材」に対応する構成の一例である。
最内側の内側リブ１２３は、本発明における「内周側の突部」に対応する構成の一例である。
内側リブ１２３に形成された爪１２３ｂは、本発明の「突起」に対応する構成の一例である。
樹脂パネルの凹部及び段ボールの波板端部は、本発明の「係合部」に対応する構成の一例である。
支軸１０５は、本発明の「軸部材」に対応する構成の一例である。
軸受部１１１は、本発明の「取付領域」に対応する構成の一例である。
カバー１３３は、本発明の「カバー部材」に対応する構成の一例である。
【符号の説明】
【００５８】
１０１  車両用サンバイザ
１０３  サンバイザ本体
１０３Ａ  表板
１０３Ｂ  スリット構造部
１０４  表皮
１０５  支軸（軸部材、機能部材）
１０７  取付ブラケット
１０９  サポート軸（機能部材）
１１０  車室天井面（車室の壁面）
１１１  軸受部（取付領域）
１１３  サポート軸取付部
１１５  バニティミラー取付部
１２３  内側リブ（突部）
１２３ａ  連接部分
１２３ｂ  爪（突起）
１２３ｃ  張出部
１２５  外側リブ（突部）
１２７  スリット（頂部同士間の空間）
１２７ａ  スリット
１２９  補強リブ
１３１  板状部材（板状部材）
１３１Ａ，１３１Ｂ  板状部材（板状部材）
１３１ａ  凹部（係合部）
１３３  カバー（カバー部材）
１３５  インテグラルヒンジ
１３７  受部
１３９ａ，１３９ｂ  凸部
【図１】
2013256180.tif 000003
【図２】
2013256180.tif 000004
【図３】
2013256180.tif 000005
【図４】
2013256180.tif 000006
【図５】
2013256180.tif 000007
【図６】
2013256180.tif 000008
【図７】
2013256180.tif 000009
【図８】
2013256180.tif 000010
【図９】
2013256180.tif 000011
【図１０】
2013256180.tif 000012
【図１１】
2013256180.tif 000013
【図１２】
2013256180.tif 000014
【図１３】
2013256180.tif 000015
【図１４】
2013256180.tif 000016
【図１５】
2013256180.tif 000017
【図１６】
2013256180.tif 000018